(57)【要約】【課題】  アーマチュアや接点保持体との連結が解除される方向へのカードの位置ずれを防止するための構造をハウジングに設ける必要がない電磁リレーを提供する。【解決手段】  電磁石１と、電磁石１の磁力によって駆動されて電磁石１に対し回転可能なアーマチュア２と、電磁石１とアーマチュア２とをそれぞれ収納するとともに電磁石１が固定されたハウジング３と、一端部に可動接点５１が固定され他端部がハウジング３内で固定されて固定接点５２と可動接点５１との距離を変化させるように弾性変形可能な接点保持体７と、アーマチュア２の一部が挿入されるアーマチュア用凹部８１と接点保持体７の一端部が挿入される接点保持体用凹部とを有して接点保持体７をアーマチュア２に連動させるカード８とを備える。アーマチュア用凹部８１と接点保持体用凹部８２とは互いに逆方向に開口している。【選択図】図１
2013030308.tif 000002
【特許請求の範囲】
【請求項１】
電磁石と、
前記電磁石の磁力によって駆動されて前記電磁石に対し回転可能なアーマチュアと、
前記アーマチュアに連動する可動接点と、
前記アーマチュアの回転に伴って前記可動接点が離接する固定接点と、
前記電磁石と前記アーマチュアと前記可動接点と前記固定接点とをそれぞれ収納するとともに前記電磁石と前記固定接点とがそれぞれ固定されたハウジングと、
一端部に前記可動接点が固定され他端部が前記ハウジング内で固定されて前記固定接点と前記可動接点との距離を変化させるように弾性変形可能な接点保持体と、
前記アーマチュアの一部が挿入されるアーマチュア用凹部と前記接点保持体の前記一端部が挿入される接点保持体用凹部とを有して前記接点保持体を前記アーマチュアに連動させるカードとを備え、
前記アーマチュア用凹部と前記接点保持体用凹部とは、それぞれ、前記アーマチュアの回転軸に平行な方向であって互いに逆方向に開口していることを特徴とする電磁リレー。
【発明の詳細な説明】
【技術分野】
【０００１】
本発明は、電磁リレーに関するものである。
【背景技術】
【０００２】
従来から、可動接点に連結されたアーマチュアを電磁石の磁力で回転駆動することで可動接点を固定接点に離接させる電磁リレーが提供されている（例えば、特許文献１参照）。
【０００３】
この種の電磁リレーとして、例えば図３に示すようなものがある。
【０００４】
以下、図３の電磁リレーについて詳しく説明する。図３の電磁リレーは、電磁石１と、電磁石１の磁力により回転駆動されるアーマチュア２と、電磁石１とアーマチュア２とをそれぞれ収納し電磁石１が固定されたハウジング３とを備える。以下、上下左右は図３を基準とし、図３の紙面手前側を前側と呼ぶ。但し、上記の方向はあくまで説明の便宜上定義するものであって、実際の使用状態での方向とは必ずしも一致しない。
【０００５】
ハウジング３は、前面に収納凹部３０が開口したボディ３１と、ボディ３１の前側に結合して収納凹部３０を閉塞するカバー（図示せず）とを有する。
【０００６】
また、ハウジング３には、アーマチュア２をハウジング３に対して回転可能に支持する支持体４が固定されている。支持体４は、厚さ方向を前後方向に向けた扁平な形状であって左右両端部がそれぞれボディ３１に固定された固定部４１と、固定部４１の前面の中央部から前方へ突設され軸方向を前後方向に向けた円柱形状の軸部４２とを有する。固定部４１をボディ３１に固定する手段としては、例えば嵌合などの周知の手段を用いることができる。また、アーマチュア２には、断面円形状であって内径が軸部４２の外径よりも僅かに大きい軸受け穴２０が前後に貫設されており、軸受け穴２０に軸部４２が挿入されることで、アーマチュア２はハウジング３に対して軸部４２の中心軸周りに回転可能に支持される。
【０００７】
また、電磁石１は、軸方向を上下方向に向けて固定部４１の後側においてボディ３１に固定されたコイル（図示せず）と、磁性体からなりコイルによって磁化される磁極片１１とを有する。磁極片１１は、コイルを上下に貫通した本体部（図示せず）と、本体部の上下両端部からそれぞれ前方に突設された可変磁極部１１ａとを有し、全体としてＵ字形状となっている。すなわち、各可変磁極部１１ａはそれぞれコイルへの通電方向に応じた極性に励磁されるのであって、その極性は可変磁極部１１ａ間で互いに異なる。ハウジング３には、それぞれ一端が上記のコイルに電気的に接続されて他端がハウジング３の左方に突出した複数本（図では３本）コイル端子６０が保持されており、コイルへの通電はコイル端子６０を通じて行うことができる。具体的には、図３の電磁リレーはいわゆる２巻線ラッチング型であって、上記のコイルはタップを有しており、コイル端子６０はコイルの両端とタップとに１個ずつが電気的に接続されている。
【０００８】
また、アーマチュア２は、それぞれ１個ずつの可変磁極部１１ａを左右から挟む固定磁極部２１ａを、上下両端部に１組ずつ有する。固定磁極部２１ａの各組において、可変磁極部１１ａの左側の固定磁極部２１ａと可変磁極部１１ａの右側の固定磁極部２１ａとは互いに異なる極性に磁化されている。具体的には、アーマチュア２は、Ｎ極を左右方向のうち互いに共通の方向に向けた２個の永久磁石２２と、それぞれ磁性体からなる２個の接極子２１とが、合成樹脂成型体２３にインサート成型されたものである。各接極子２１は、それぞれ、扁平な直方体形状であって、厚さ方向の一面を各永久磁石２２の一方ずつの極に磁着されている。すなわち、各接極子２１のうち、それぞれ永久磁石２２よりも上下に突出した上下両端部が、それぞれ固定磁極部２１ａとなっている。そして、電磁石１のコイルに通電されると、可変磁極部１１ａの左右の固定磁極部２１ａのうち通電方向に応じた側の一方の固定磁極部２１ａが可変磁極部１１ａに吸引されることで、アーマチュア２はハウジング３に対しコイルへの通電方向に応じた方向に回転する。また、コイルにいったん通電されると、コイルに逆方向の電流が流されるまでは、アーマチュア２の位置（及び、これに連動する可動接点５１等の位置）は上記の永久磁石２２の磁力によって維持（ラッチング）される。
【０００９】
さらに、ハウジング３には、上記のようなアーマチュア２の回転に連動する可動接点５１と、この可動接点５１に離接する固定接点５２とが収納されている。さらに、可動接点５１と固定接点５２とはそれぞれ１個ずつの端子板６１，６２に電気的に接続されている。すなわち、可動接点５１と固定接点５２との離接に伴って端子板６１，６２間の電気的な接続がオンオフされる。各端子板６１，６２は、それぞれ、厚さ方向を左右方向に向けた金属板からなり、上端部がハウジング３外に突出する形でハウジング３に固定されている。また、可動接点５１は、下端部を端子板６１の右面に固定され上端部を下端部に対して左右に変位させるように弾性変形可能な接点保持体７を介して、端子板６１に対して電気的且つ機械的に接続されている。接点保持体７は、それぞれ全体として上下に長い板ばねからなる複数枚の接点保持ばね７１が、厚さ方向に重ねられるとともに上端部と下端部とにおいて互いに接合されたものである。可動接点５１は、接点保持体７の上端部に固定されることで、固定接点５２の左側においてハウジング３に対して左右に弾性的に変位可能となっている。
【００１０】
また、アーマチュア２と可動接点５１とは、接点保持体７とアーマチュア２とに連結されるカード８により連動する。カード８は全体として厚さ方向を上下方向に向けた扁平な形状である。可動接点５１に接続された端子板６１は、カード８の変位を阻害しないように、カード８の進路を避けた形状とされている。アーマチュア２とカード８との連結は、アーマチュア２において右側の接極子２１の上端部が、カード８において上下方向と後方とに開口したアーマチュア用凹部（図示せず）に挿入されることで達成されている。また、接点保持体７とカード８との連結は、接点保持体７の上端部が、カード８において上下方向と後方とに開口した接点保持体用凹部（図示せず）に挿入されることで達成されている。
【先行技術文献】
【特許文献】
【００１１】
【特許文献１】実開昭６３−３７０５２号公報
【発明の概要】
【発明が解決しようとする課題】
【００１２】
上記従来例では、カード８において、アーマチュア用凹部と接点保持体用凹部とが、互いに同じ方向である後方に開口しているので、ハウジング３に対するカード８の位置が前方にずれると、アーマチュア２や接点保持体７とカード８との連結が解除されてしまう可能性がある。従って、アーマチュア２や接点保持体７とカード８との連結が解除されない程度にカード８の可動範囲を制限する構造を、ハウジング３に設ける必要があった。
【００１３】
本発明は、上記事由に鑑みて為されたものであり、その目的は、アーマチュアや接点保持体との連結が解除される方向へのカードの位置ずれを防止するための構造をハウジングに設ける必要がない電磁リレーを提供することにある。
【課題を解決するための手段】
【００１４】
本発明の電磁リレーは、電磁石と、前記電磁石の磁力によって駆動されて前記電磁石に対し回転可能なアーマチュアと、前記アーマチュアに連動する可動接点と、前記アーマチュアの回転に伴って前記可動接点が離接する固定接点と、前記電磁石と前記アーマチュアと前記可動接点と前記固定接点とをそれぞれ収納するとともに前記電磁石と前記固定接点とがそれぞれ固定されたハウジングと、一端部に前記可動接点が固定され他端部が前記ハウジング内で固定されて前記固定接点と前記可動接点との距離を変化させるように弾性変形可能な接点保持体と、前記アーマチュアの一部が挿入されるアーマチュア用凹部と前記接点保持体の前記一端部が挿入される接点保持体用凹部とを有して前記接点保持体を前記アーマチュアに連動させるカードとを備え、前記アーマチュア用凹部と前記接点保持体用凹部とは、それぞれ、前記アーマチュアの回転軸に平行な方向であって互いに逆方向に開口していることを特徴とする。
【発明の効果】
【００１５】
本発明によれば、アーマチュアや接点保持体との連結が解除される方向においてカードがアーマチュアと接点保持体とに挟まれるから、上記方向へのカードの位置ずれを防止するための構造をハウジングに設ける必要がない。
【図面の簡単な説明】
【００１６】
【図１】本発明の実施形態においてカバーを取り外した状態を示す正面図である。
【図２】同上のカードを示す斜視図である。
【図３】従来例においてカバーを取り外した状態を示す正面図である。
【発明を実施するための形態】
【００１７】
以下、本発明を実施するための最良の形態について、図面を参照しながら説明する。
【００１８】
本実施形態では、図１及び図２に示すように、カード８において、アーマチュア用凹部８１が、接点保持体用凹部８２とは逆方向である前方に開口している。
【００１９】
すなわち、接極子２１がカード８の前側に位置しているから、アーマチュア２が脱落しない限りはハウジング３の前方へのカード８の脱落も発生しない。
【００２０】
上記構成によれば、カード８が前後方向においてアーマチュア２と接点保持体７とに挟まれるから、アーマチュア２や接点保持体７との連結が解除される方向である前後方向へのカード８の位置ずれを防止するための構造をハウジング３に設ける必要がない。
【符号の説明】
【００２１】
１  電磁石
２  アーマチュア
３  ハウジング
７  接点保持体
８  カード
５１  可動接点
５２  固定接点
８１  アーマチュア用凹部
８２  接点保持体用凹部
【図１】
2013030308.tif 000003
【図２】
2013030308.tif 000004
【図３】
2013030308.tif 000005